(57)【要約】【課題】河川の生物棲息域を蘇らせるために、比較的水量の少ない河川の澱みに発生した藻を枯らし、また、藻の発生を予防するための河川澱みの防藻工法及び防藻構造を提供する。【解決手段】藻１１が繁る河川１の澱み１０に、銅又は銅化合物の１種又は２種以上からなる銅系粉末や破砕片２を分散布し、河川澱みにおける藻を枯らすとともに、その発生を防止する。【選択図】図１
2010163764.tif 000002
【特許請求の範囲】
【請求項１】
藻が繁る河川澱み及び／又はその上流域及び／又は近隣流域に、銅又は銅化合物の１種又は２種以上からなる銅系物質の粉末又は破砕片を分散布、及び／又は銅又は銅化合物の１種又は２種以上からなる銅系物質を含有させた成形物、及び／又は銅メッキを施した筒体及び／又は棒体、及び／又は銅線又は銅メッキ線からなる網体を河川底や水辺に固定して配設することを特徴とする河川澱みの防藻工法。
【請求項２】
事前に、河川底及び／又は河川敷に、上流域より澱みに水が流入可能な溝又は長尺管を設けること、及び／又は河川澱みの藻、汚泥等を除去することを特徴とする請求項１記載の河川澱みの防藻工法。
【請求項３】
請求項１又は２記載の河川澱みの防藻工法により形成したことを特徴とする河川澱みの防藻構造。
【発明の詳細な説明】
【技術分野】
【０００１】
本発明は、河川の生物棲息域を蘇らせるために、比較的水量の少ない河川の澱みに発生した藻を枯らし、また、藻の発生を予防する河川澱みの防藻工法及び防藻構造に関するものである。
【背景技術】
【０００２】
近年、水の腐食、汚濁等による湖沼、河川に発生する藻による、そこに棲息する生物への悪影響は、自然破壊の名のもと社会的にも大きな問題になっている。
水の浄化、特に、上下水道分野は人々の生活に直結する故その技術の進歩は著しく、この上下水道分野の浄化技術は方法、装置、用具等を問わず多岐に亘り数多く出願され実施されているのに比べ、湖沼、河川の浄化技術の出願とその実施は費用対効果が低いため少なく、例えば、下記特許文献１及び２に、湖・沼・貯水池又は河川などの被処理水中に、揚水筒により水を上下循環流動させる過程で、凝集剤及び殺藻剤（主成分は銅又は銅化合物の１種又は２種以上からなる銅系物質の粉末又は破砕片を分散布、及び／又は銅又は銅化合物の１種又は２種以上からなる銅系物質）を入れて水流により拡散させ、これにより浮遊固形物を凝集沈殿させ及び藻類を死滅させて浄水処理するとともに、水中の溶存酸素量を向上させる浄化方法が、また、比較的浅い水域（例えば水深５ｍ位までの水域）の湖・沼又は池・河川或いは浄水するための貯水場などにおける浄水を目的とし、適所の水中に、直立設置した複数本並列した揚水筒内に気泡彈による上昇水流を発生させ、この上昇水流を利用して殺藻剤を付近の水中に拡散させることにより、前記揚水筒を中心とする水域の水を上下対流循環流動させる過程において、前記殺藻剤（硫酸銅又は塩化銅）を全水域に拡散させ、藻類を処理することを特徴とした浅水域における浄水方法がそれぞれ開示されている。
【先行技術文献】
【特許文献】
【０００３】
【特許文献１】特公平０５−１９６０３号公報
【特許文献２】特公平０７−１６６６１号公報
【発明の概要】
【発明が解決しようとする課題】
【０００４】
しかしながら、上記浄水方法は、そのための装置とその稼働が不可欠であり、このために多大の経費を必要とすることから経済性で問題を残すものとなっている。
【０００５】
本発明は、上記従来技術の有する問題点に鑑みてなしたものであり、比較的小さな河川で、その澱みに発生する藻を枯らしまた事前に除去する防藻工法及び防藻構造を提供することを目的とする。
【課題を解決するための手段】
【０００６】
上記目的を達成するため、本発明の河川澱みの防藻工法は、藻が繁る河川澱み及び／又はその上流域及び／又は近隣流域に、銅又は銅化合物の１種又は２種以上からなる銅系物質の粉末又は破砕片（以下銅系物質とする）を分散布、及び／又は銅又は銅化合物の１種又は２種以上からなる銅系物質を含有させた成形物（以下銅系形状物とする）、及び／又は銅メッキを施した筒体及び／又は棒体、及び／又は銅線又は銅メッキ線からなる網体（本明細書において、「銅系形状物」という。）を澱み河川底や水辺に固定して配設することを特徴とする。
【０００７】
この場合、事前に、河川底及び／又は河川敷に、上流域より澱みに水が流入可能な溝又は長尺管を設けること、及び／又は河川澱みの藻、汚泥等を除去することが可能になる。
【０００８】
また、本発明の河川澱みの防藻構造は、請求項１又は２記載の河川澱みの防藻工法により形成したことを特徴とする。
【発明の効果】
【０００９】
本発明の河川澱みの防藻工法は、藻が繁る河川澱み及び／又はその上流域及び／又は近隣流域に、銅系物質を分散布すること、及び／又は河川澱み及び／又はその上流域及び／又は近隣流域の河川底や水辺に銅系形状物を固定して配設することで、澱みの中で銅イオンが流通し、澱みの近隣、上流域から銅系物質の粉末又は破砕片が流速に押され、下流域の澱みに入り込みこの域で銅イオンが流通し、銅イオンの作用で藻を枯らすとともに、その発生を防止する。
【００１０】
この場合、事前に、河川底及び／又は河川敷に、上流域より澱みに水が流入可能な溝又は孔を設けること、及び／又は河川澱みの藻、汚泥等を除去することで、澱みやその上流や近隣の水は一時的に濁ることがあっても、藻や汚泥を除去することで水質が向上し、また、事後に澱みに溝や長尺管を通して上流より新たな水が流入し、相対的に澱みの水質は向上することになり、さらに、銅イオンの作用で新たに発生する藻を枯らすとともに、その生長を防止する機能を実現し、同時に銅イオンによる作用効果を促進しより迅速化することになる。
【００１１】
また、上記河川澱みの防藻工法の竣工後の防藻構造は、その後長期間に亘り、澱みとその周辺流域の藻を枯らすとともに、その発生を防止することになる。
【図面の簡単な説明】
【００１２】
【図１】本発明の河川澱みの防藻構造を示す、（ａ）は平面図、（ｂ）は縦断面図である。
【図２】本発明の河川澱みの防藻構造を示す、（ａ）、（ｂ）は共に平面図である。
【図３】本発明の河川澱みの防藻構造を示す、（ａ）、（ｂ）は共に正面図である。
【発明を実施するための形態】
【００１３】
以下、本発明の河川澱みの防藻工法及び防藻構造の実施形態を図面に基づいて説明する。
【実施例１】
【００１４】
図１（ａ）、（ｂ）に、本発明の河川澱みの防藻工法及び防藻構造の第１実施例を示す。
図１（ａ）で示す防藻工法Ａは、藻１１が繁る河川１の澱み１０に、銅又は銅化合物の１種又は２種以上からなる銅系粉末や破砕片２を分散布したもので、河川澱みをイメージした平面図を示し、画面上より堤防３に沿って上流１２から下流１３を、図１（ｂ）で示す防藻工法Ａは、同様な河川１の澱みに、銅又は銅化合物の１種又は２種以上からなる銅系粉末又は破砕片２を分散布したもので、逆に下流１３から上流１２をイメージした断面をそれぞれ示している。
この場合、藻１１が繁る河川１の澱み１０の上流１２域や近隣流域１５、これ等澱み１０、流域の複数に、銅又は銅化合物の１種又は２種以上からなる銅系粉末や破砕片（以下、銅系物質２とする）をそのまま分散布してもよく、また、これら粉末や破砕片が汚泥の中に埋没することや下流域に押し流されることを防止するため、砕石、自然石、コンクリートの塊等の表面に銅系粉末や破砕片を分散させた皮膜を形成させ、これらを水中に沈めてもよい。
【００１５】
また、両図においては水の流れで浅瀬となりそこで生じる澱み１０に対し、同様に水の流れで形成される水量の多い水深域を１４、水位を１７で、河川敷を３０、水際となる河川敷端縁を３２、河川敷３０で生育する草木を３１でそれぞれ示し、図１（ａ）では示していないが、図最下部（最下流）に農業用水用等の堰がある場合、越流しない渇水期に水の流れが止まり、澱み１０の藻１１による汚染は加速されることになる。
【００１６】
防藻工法Ａに使用する銅系粉末、銅系破砕片には、銅や銅化合物の水酸化銅、水酸化第２銅、酸化銅、炭酸銅、硫酸銅、塩化銅、クジャク石、ランドウ鉱などの自然無機銅化合物の破砕片並びにオキシン銅等のキレート化合物及びステアリン酸銅等の有機酸塩など有機銅化合物等の銅系物質２を好適に使用できる。
【００１７】
このような防藻工法Ａは、藻１１が繁る河川１の澱み１０及び／又はその上流１２域及び／又は近隣流域１５に、銅又は銅化合物の１種又は２種以上からなる銅系物質２の粉末又は破砕片を分散布、及び／又は銅又は銅化合物の１種又は２種以上からなる銅系物質２で形成した及び／又は銅メッキを施した長尺管１８やこれに類する材剤を河川底１６に固定して配設することで、澱み１０の中で銅イオンが流通し、澱み１０の近隣、上流１２域から銅系物質２の粉末又は破砕片が流速に押され、下流１３域の澱み１０に入り込みこの域で銅イオンが流通し、銅イオンの作用で藻１１を枯らすとともに、その発生を防止する。
【実施例２】
【００１８】
図２（ａ）、（ｂ）に、本発明の河川澱みの防藻工法及び防藻構造の第２実施例を示す。
図２（ａ）の平面図で示す防藻工法Ｂは、請求項２に係る実施形態の１つであり、事前に上流の水深域１４より河川敷３０に水が流入可能な溝３３を下流１３方向に低くなる傾斜を持たせて設けたものであり、同様に、図２（ｂ）の平面図で示す防藻工法Ｂは、上流１２域より澱み１０に水が流入可能な長尺管１８を河川底に沿って幾らかの下流１３方向に低くなる傾斜を持たせ配設したものである。
この場合、溝３１に銅系物質２を分散布してもよく、長尺管１８とは管を繋いだものを含み、この内外面や端部に何らかの手段で銅系物質２を添加してもよいことになる。
【００１９】
このような防藻工法Ｂは、事前に河川底１６及び／又は河川敷３０に、上流１２域より澱みに水が流入可能な溝３２又は長尺管１８を設けることで、これらを通して上流１２より汚染度の低い水が澱み１０に流れ込み、澱み１０の水質を少しでも向上させることになり、溝３１に銅系物質２を分散布すること、長尺管１８の内外面や端部に何らかの手段で銅系物質２を添加することで、水質の向上がさらに促進されることになる。
【００２０】
図示しないが、実施例２及び３で説明した本発明の防藻工法Ａ及びＢにおいて、事前に河川１の汚染結果でもある澱み１０の藻１１や汚泥等を除去することで、事後の藻１１による水質低下を著しく予防することができ、さらに、銅イオンの作用で新たに発生する藻１１とその生長を予防することになり、水質向上がより以上に促進され、迅速化されることになるが、河川の汚染そのものは、下水場の完備されていない地方の市町村での家庭廃水、これ以上に同様な地域での名物梅干、漬物等の食品工場からの廃水の垂れ流しによるものであることから、これら地域での下水処理施設（１工場単位又は／及び１区画集落排水等）の完備が望まれることになる。
【実施例３】
【００２１】
図３（ａ）、（ｂ）に、本発明の河川澱みの防藻工法及び防藻構造の第３実施例で示す。
図３（ａ）で示す防藻構造Ｃは、銅又は銅化合物の１種又は２種以上の粉末の銅系物質２を塗工液に混合し、これで自然石２０の表面に塗膜２１を設け藻１１が繁る河川１の澱み１０に沈めたものであり、図３（ｂ）で示す防藻構造Ｃは、藻１１が繁る河川１の澱み１０の水辺１９に銅線及び／又は銅メッキ線及び／又は塗膜２１を設けた線で編んだ網２３を渇水期の水位１７に合わせて立設したものであり、このような防藻構造Ｃも、上記と同様の作用効果を奏することになるとともに、藻１１に奪われた水の溶酸素量が復活し、河川に元々棲息していたフナ、メダカ等の生物を再び呼び戻すことが可能になるのである。
【００２２】
以上、本発明の河川１の澱み１０の防藻工法Ａ、防藻工法Ｂ及び防藻構造Ｃについて実施例に基づいて説明したが、本発明は、上記実施例に記載した構成に限定されるものではなく、その趣旨を逸脱しない範囲において適宜その構成を変更することができるものである。
【産業上の利用可能性】
【００２３】
本発明の河川１の澱み１０の防藻工法Ａ、防藻工法Ｂ及び防藻構造Ｃは、河川の生物棲息域を蘇らせるために、比較的水量の少ない河川の澱みに発生した藻を枯らし、また、藻の発生を予防することができることから、河川澱みの防藻の用途に適用できるほか、例えば、湖沼の澱み、下水管、雨水貯留槽等の浄化への転用が可能である。
【符号の説明】
【００２４】
１    河川
１０  澱み
１１  藻
１２  上流
１３  下流
１４  水深域
１５  近隣流域
１６  河川底
１７  水位
１８  長尺管
１９  水辺
２    銅系物質
２０  自然石
２１  塗膜
２２  網
３    堤防
３０  河川敷
３１  草木
３２  河川敷端縁
３３  溝
Ａ    防藻工法
Ｂ    防藻工法
Ｃ    防藻構造
【図１】
2010163764.tif 000003
【図２】
2010163764.tif 000004
【図３】
2010163764.tif 000005